(57)【要約】【課題】本発明は、情報伝達装置及び情報伝達方法に関し、例えばＰＤＡに適用して、煩雑な表示を有効に回避して、進行方向の方位、目的地の方向等を簡易かつ確実にユーザーに伝達することができるようにする。【解決手段】本発明は、表示画面の前面に保持されたタッチパネルを操作箇所に応じて振動させ、このタッチパネルの振動により目的の方向をユーザーに伝達する。【選択図】        図１
2005010119.tif 000002
【特許請求の範囲】
【請求項１】
所望の画像を表示する表示手段と、
前記表示手段による表示画面の前面に保持されたタッチパネルと、
前記タッチパネルを振動させるアクチュエータとを有し、
前記タッチパネルで検出される操作箇所に応じて前記アクチュエータを駆動することにより、前記タッチパネルの振動により目的の方向をユーザーに伝達する
ことを特徴とする情報伝達装置。
【請求項２】
方位を検出する方位検出手段を有し、
前記目的の方向が、前記方位検出手段で検出される方位による基準の方向である
ことを特徴とする請求項１に記載の情報伝達装置。
【請求項３】
現在位置を検出する現在位置検出手段を有し、
前記現在位置検出手段で検出される現在位置に基づいた前記表示手段の表示により、目的地までユーザーを道案内し、
前記目的の方向が、前記目的地の方向である
ことを特徴とする請求項１に記載の情報伝達装置。
【請求項４】
前記表示手段により地図を表示し、
前記目的の方向が、前記地図により表示した範囲外の、ユーザーにより指定された地点の方向である
ことを特徴とする請求項１に記載の情報伝達装置。
【請求項５】
前記タッチパネルで検出される操作箇所に応じて、前記振動の強弱を可変する
ことを特徴とする請求項１に記載の情報伝達装置。
【請求項６】
前記タッチパネルで検出される操作箇所に応じて、前記振動の周波数を可変する
ことを特徴とする請求項１に記載の情報伝達装置。
【請求項７】
前記タッチパネルで検出される操作箇所に応じて、前記振動のパターンを可変する
ことを特徴とする請求項１に記載の情報伝達装置。
【請求項８】
表示画面の前面に保持されたタッチパネルを、前記タッチパネルで検出される操作箇所に応じたアクチュエータの駆動により振動させ、
前記タッチパネルの振動により目的の方向をユーザーに伝達する
ことを特徴とする情報伝達方法。
【発明の詳細な説明】
【０００１】
【発明の属する技術分野】
本発明は、情報伝達装置及び情報伝達方法に関し、例えばＰＤＡ（Ｐｅｒｓｏｎａｌ  Ｄｉｇｉｔａｌ  Ａｓｓｉｓｔａｎｔｓ  ）に適用することができる。本発明は、表示画面の前面に保持されたタッチパネルを操作箇所に応じて振動させ、このタッチパネルの振動により目的の方向をユーザーに伝達することにより、煩雑な表示を有効に回避して、進行方向の方位、目的地の方向等を簡易かつ確実にユーザーに伝達することができるようにする。
【０００２】
【従来の技術】
従来、情報端末装置であるＰＤＡにおいて、いわゆるナビゲーション機能を有するものにおいては、液晶表示パネル等の表示手段により地図を表示し、この地図上で目的地までの移動経路を表示することにより、確実にユーザーを目的地に道案内するようになされている。
【０００３】
またこのようなＰＤＡと同様のナビゲーション装置であるカーナビゲーション装置においては、いわゆる音声案内により、音声によってもユーザーを道案内するようになされている。
【０００４】
これに対して近年、このような視覚、聴覚以外の手段を用いて各種の情報をユーザーに伝達する方法が提案されるようになされ、例えば特開２０００−３３０６８８号公報においては、人の指等による触覚を利用してユーザーに有意な情報を伝達する方法が提案されるようになされている。
【０００５】
【特許文献１】
特開２０００−３３０６８８号公報
【０００６】
【発明が解決しようとする課題】
ところでナビゲーション装置においては、表示している地図の縮尺に比して目的地までの距離が遠い場合、地図上で目的地が表示されない場合がある。また現在の進行方向が上方となるように地図の向きを傾けて表示することによりユーザーの利便性を図るようになされていることにより、例えば進行の方位がわからなくなる場合がある。
【０００７】
このような場合に簡易に方向を確認することができれば、便利であると考えられる。この場合、目的地の方向、北の方向を指し示すマーク等を地図上に併せて表示することが考えられるが、このようにすると、表示が煩雑になる問題がある。しかしてこのように表示が煩雑になると、ユーザーの利便性が劣化し、画面の表示の確認に時間を要することにより、安全運転にも支障をきたす恐れがある。
【０００８】
本発明は以上の点を考慮してなされたもので、煩雑な表示を有効に回避して、進行方向の方位、目的地の方向等を簡易かつ確実にユーザーに伝達することができる情報端末装置及び情報処理方法を提案しようとするものである。
【０００９】
【課題を解決するための手段】
かかる課題を解決するため請求項１の発明においては、情報伝達手段に適用して、所望の画像を表示する表示手段と、表示手段による表示画面の前面に保持されたタッチパネルと、タッチパネルを振動させるアクチュエータとを有し、タッチパネルで検出される操作箇所に応じてアクチュエータを駆動することにより、タッチパネルの振動により目的の方向をユーザーに伝達する。
【００１０】
また請求項８の発明においては、情報伝達方法に適用して、表示画面の前面に保持されたタッチパネルを、タッチパネルで検出される操作箇所に応じたアクチュエータの駆動により振動させ、タッチパネルの振動により目的の方向をユーザーに伝達する。
【００１１】
請求項１の構成により、情報伝達手段に適用して、所望の画像を表示する表示手段と、表示手段による表示画面の前面に保持されたタッチパネルと、タッチパネルを振動させるアクチュエータとを有し、タッチパネルで検出される操作箇所に応じてアクチュエータを駆動することにより、タッチパネルの振動により目的の方向をユーザーに伝達すれば、目的の方向を表示しなくても、指等をタッチパネルに触れて振動を確認することにより、例えば進行方向の方位、目的地の方向等を伝達することができる。これにより煩雑な表示を有効に回避して、進行方向の方位、目的地の方向等を簡易かつ確実にユーザーに伝達することができる情報端末装置を提供することができる。
【００１２】
これにより請求項２の構成によれば、煩雑な表示を有効に回避して、進行方向の方位、目的地の方向等を簡易かつ確実にユーザーに伝達することができる情報端末方法を提供することができる。
【００１３】
【発明の実施の形態】
以下、適宜図面を参照しながら本発明の実施の形態を詳述する。
【００１４】
（１）第１の実施の形態
（１−１）第１の実施の形態の構成
図２は、本発明の実施の形態に係るＰＤＡを示すブロック図である。このＰＤＡ１は、ナビゲーション機能を有する情報伝達装置であり、例えばコンピュータよりダウンロードした各種の情報を出先で確認できるようになされている。
【００１５】
ここでこのＰＤＡ１において、バッテリ２は、このＰＤＡ１の電源を供給する。ＤＣ／ＤＣコンバータ（ＤＣ／ＤＣ）３は、中央処理ユニット（ＣＰＵ）４の制御により動作を開始し、このバッテリ２から出力される電源をこのＰＤＡ１の各部の動作に必要な電源電圧に変換して出力する。
【００１６】
電源スイッチ（電源ＳＷ）５、操作スイッチ（操作ＳＷ）６は、押圧操作子であり、それぞれユーザーによる電源の操作、各種動作の指示を受け付け、中央処理ユニット４に通知する。ＬＥＤ（Ｌｉｇｈｔ  Ｅｍｉｔｔｉｎｇ  Ｄｉｏｄｅ）７は、電源スイッチ５の操作によりこのＰＤＡ１が電源を立ち上げると、中央処理ユニット４の駆動により発光する。
【００１７】
ＧＰＳ（Ｇｌｏｂａｌ  Ｐｏｓｉｔｉｏｎｉｎｇ  Ｓｙｓｔｅｍ  ）レシーバー８は、現在位置検出手段を構成し、ＧＰＳ衛星から到来する電波を受信して処理することにより、現在位置を検出して出力する。地磁気センサ９は、方位検出手段であり、このＰＤＡ１の向きを検出して中央処理ユニット４に通知する。具体的に地磁気センサ９は、このＰＤＡ１の表示画面がほぼ水平になるように、このＰＤＡ１を保持した際に、このＰＤＡ１の表示画面の上端が向いている方位を検出するようになされている。
【００１８】
表示部１０は、中央処理ユニット４による各種処理結果を表示すると共に、ユーザーによる操作を受け付ける。ここで図３に断面図により示すように、表示部１０は、バックライト１１により液晶表示パネル（ＬＣＤ：Ｌｉｑｕｉｄ  Ｃｒｙｓｔａｌ  Ｄｉｓｐｌａｙ）１２を照明して液晶表示装置が構成され、この液晶表示装置による表示画面の周囲、所定箇所にアクチュエータ１３が配置される。ここでアクチュエータ１３は、圧電素子により構成され、表示部１０は、このアクチュエータ１３を介して表示画面の前面にタッチパネル１４を保持するようになされている。これによりこのＰＤＡ１では、表示画面に各種メニューを表示してユーザーによるメニューの選択をタッチパネルにより検出できるようになされ、さらにはアクチュエータ１３を駆動してタッチパネル１４を振動させることができるようになされている。なおこの実施の形態において、液晶表示パネル１２は、ＴＦＴ（Ｔｈｉｎ  Ｆｉｌｍ  Ｔｒａｎｓｉｓｔｏｒ）透過型液晶により構成され、タッチパネル１４は、抵抗膜型パネルにより構成されるようになされている。
【００１９】
駆動回路１５は（図２）、中央処理ユニット４の制御によりバックライトの一次光源を駆動し、またアクチュエータ１３を駆動する。描画制御回路１７は、中央処理ユニット４の制御により液晶表示パネル１２を駆動する。アナログディジタル変換回路（Ａ／Ｄ）１６は、タッチパネル１４からの出力信号をアナログディジタル変換処理して中央処理ユニット４に出力する。これらによりこのＰＤＡ１では、表示部１０に各種の画像を表示すると共に、タッチパネル１４の操作を検出し、さらにはこのタッチパネル１４を振動させることができるようになされている。
【００２０】
なおＰＤＡ１は、これらの構成に加えて、コンピュータ等の外部機器との間で種々のデータを送受するインターフェース等を備えるようになされている。
【００２１】
中央処理ユニット４は、このＰＤＡ１の動作を制御するコントローラであり、リードオンリメモリ（ＲＯＭ）２０の記録に従ってディーラム（ＤＲＡＭ）２１にワークエリアを確保してリードオンリメモリ２０に記録された所定の処理手順を実行することによりこのＰＤＡ１全体の動作を制御する。
【００２２】
この一連の処理において、中央処理ユニット４は、描画制御回路１７の制御により所定のメニューを表示部１０で表示し、またタッチパネル１４で検出されるこのメニュー画面に表示したメニューの選択により各部の動作を制御する。
【００２３】
これらの処理において、中央処理ユニット４、ユーザーのタッチパネル１４の操作によるメニューの選択に応動してアクチュエータを駆動し、これによりあたかも押圧操作子を操作した場合のような操作感をユーザーに提供する。なおこの操作感においては、一般にクリック感と呼ばれる操作感覚である。これによりＰＤＡ１では、ユーザーによる使い勝手を向上するようになされている。
【００２４】
このメニューの選択により中央処理ユニット４は、ユーザーによりコンピュータからのスケジュール、電子メール等のダウンロードが指示されると、図示しないインターフェースを介してコンピュータとの間で一連の認証の処理を実行した後、これらユーザーにより指示されたデータをコンピュータからダウンロードしてディーラム２１に記録する。またこのようにしてディーラム２１に記録したスケジュール、電子メール等の表示が指示されると、これらのデータをディーラム２１からロードし、描画制御回路１７の制御によりこれら電子メール等を表示部１０で表示する。
【００２５】
これに対してユーザーが地図の表示を指示した場合、同様のメニュー画面の表示により表示に供する地図の選択、倍率等を受け付ける。またユーザーによる操作に応動してリードオンリメモリ２０に保持された地図データをロードして描画制御回路１７に出力し、これにより対応する地域の地図を表示部１０で表示する。
【００２６】
またユーザーによりルート検索が指示されると、タッチパネル１４を介して目的地の入力を受け付け、またＧＰＳレシーバー８により現在位置を検出する。またこれら目的地、現在位置により目的地までのルートを検索し、このルートに係る地図を表示部１０で表示する。またユーザーによりこのようにして検出したルートによるナビゲーションが指示されると、ＧＰＳレシーバー８で検出される現在位置に基づいてこのルートによりユーザーを道案内する。
【００２７】
これらの地図の表示において、中央処理ユニット４は、図４において、方位の表記との対比により地図の表示を示すように、地磁気センサ９で検出されるこのＰＤＡ１の向きに応じて地図を傾けて表示し、これにより表示部１０の表示画面をほぼ水平に保持して表示部１０に表示された地図を見た場合に、地図上における各部の方向と、実際の周辺各部の方向とが一致するように地図を表示するようになされ、これによりユーザーの使い勝手を向上するようになされている。
【００２８】
このようにして地図を表示してユーザーによるタッチパネル１４の所定領域が操作されると、中央処理ユニット４は、このタッチパネル１４の操作箇所が表示画面の中央になるように、表示画面をスクロールさせる。これに対して初期設定によりユーザーが方位を振動により指示するように設定した状態で、タッチパネル１４の中央部分の操作が検出されると、中央処理ユニット４は、図１に示す処理手順の実行により北方向の方向を振動によりユーザーに通知する。
【００２９】
すなわち中央処理ユニット４は、ステップＳＰ１からステップＳＰ２に移り、地磁気センサ９によりこのＰＤＡ１の向きを検出する。また続くステップＳＰ３において、このようにして検出される向きを判定し、続くステップＳＰ４で装置が北方向を向いているか否か判断する。ここで否定結果が得られると、中央処理ユニット４は、ステップＳＰ４からステップＳＰ６に移り、ユーザーによるタッチパネル１４の操作が終了したか否か判断し、このステップＳＰ６で否定結果が得られると、ステップＳＰ２に戻る。
【００３０】
これに対してこのＰＤＡ１の向きが北方向を中心とした所定角度範囲の場合、中央処理ユニット４は、ステップＳＰ４で肯定結果が得られることにより、ステップＳＰ４からステップＳＰ５に移り、ここでアクチュエータ１３を駆動してタッチパネル１４を振動させ、ステップＳＰ６に移る。これにより中央処理ユニット４は、ＰＤＡ１が北方向を向いている場合に限り、タッチパネル１４を振動させ、タッチパネル１４への接触が終了すると、ステップＳＰ６で肯定結果が得られることにより、ステップＳＰ６からステップＳＰ７に移り、この処理手順を終了する。
【００３１】
これに対して初期設定において、振動により目的地の方向を指示するようにユーザー設定している状態で、タッチパネル１４の周辺領域が操作された場合、図５の処理手順の実行により目的地の方向を振動によりユーザーに通知する。すなわちこの処理手順において、中央処理ユニット４は、ステップＳＰ１１からステップＳＰ１２に移り、ＧＰＳレシーバー８で検出される現在位置を基準にした目的地の方位を検出する。また続くステップＳＰ１３において、この目的地の方位を、地磁気センサ９により検出されるこのＰＤＡ１の向きにより補正し、ＰＤＡ１で表示している地図上における目的地の方向を検出する。
【００３２】
続いて中央処理ユニット４は、ステップＳＰ１４に移り、このようにして検出した目的地の方向と、表示画面の中央を基準にしたタッチパネル１４の操作箇所の方向とが一致するか否か判断し、ここで否定結果が得られると、ステップＳＰ１６に移り、ユーザーによるタッチパネル１４の操作が終了したか否か判断し、このステップＳＰ１６で否定結果が得られると、ステップＳＰ１２に戻る。
【００３３】
これに対して目的地の方向と、表示画面の中央を基準にしたタッチパネル１４の操作箇所の方向とがほぼ一致する場合、中央処理ユニット４は、ステップＳＰ１４で肯定結果が得られることにより、ステップＳＰ１４からステップＳＰ１５に移り、ここでアクチュエータ１３を駆動してタッチパネル１４を振動させ、ステップＳＰ１５に移る。これにより中央処理ユニット４は、表示画面の縁取りに沿って指をスライドさせて何れの箇所で振動を感じ取れるかにより、目的地の方向を把握できるようになされ、タッチパネル１４への接触が終了すると、ステップＳＰ１５で肯定結果が得られることにより、ステップＳＰ１５からステップＳＰ１７に移り、この処理手順を終了する。
【００３４】
（１−２）第１の実施の形態の動作
以上の構成において、このＰＤＡ１では、表示画面に設けられたタッチパネル１４の操作によるメニューの選択により、中央処理ユニット４で各部の動作が制御され、これによりナビゲーション等に利用される。すなわちユーザーが地図の表示を指示した場合、リードオンリメモリ２０に保持された地図データがロードされ、描画制御回路１７により表示部１０で地図が表示される。これに対してユーザーがルート検索を指示した場合、ＧＰＳレシーバー８で検出される現在位置と、ユーザーにより指示された目的地とから移動経路が検索され、この移動経路に係る地図が表示部１０により表示される。またこの移動経路によるナビゲーションが指示されると、ＧＰＳレシーバー８で検出される現在位置を中心にして地図を表示し、この地図上で移動経路を表示する。
【００３５】
ＰＤＡ１では、このような各種指示に係るメニューの選択において、ユーザーによるタッチパネル１４の操作が検出されると、このタッチパネル１４を保持してなるアクチュエータ１３を駆動し、これにより押圧操作子を操作した場合のような操作感がユーザーに提供される。これによりこのＰＤＡ１では、指による操作を操作感により確認できるようになされ、その分、使い勝手を向上できるようになされている。
【００３６】
ＰＤＡ１では、このような操作感の向上に供するアクチュエータ１３を利用して、進行方向の方位、目的地の方向がユーザーに伝達される。すなわちＰＤＡ１では、ユーザー設定により、ユーザーがタッチパネル１４を操作すると、表示画面の上端の向きが検出され、この上端の向きが北方向の場合、アクチュエータ１３の駆動によりタッチパネル１４が振動するのに対し、この上端の向きが北方向以外の場合、何らアクチュエータ１３が駆動されることなく保持される。
【００３７】
これによりこのＰＤＡ１では、あたかもコンパスを操作する場合のように、表示画面に指を沿わせた状態で、この表示画面を水平に保持して種々の方向にＰＤＡ１を向けることにより、北方向を検出することができ、これにより現在の進行方向の方位を簡易かつ確実に検出することができる。しかしてこの場合、表示画面に北方向を示すコンパスのマーク等を表示しなくてもよいことにより、その分、煩雑な表示を有効に回避して、進行方向の方位を簡易かつ確実にユーザーに伝達することができる。
【００３８】
またＰＤＡ１では、ユーザーの設定により、ユーザーがタッチパネル１４の周辺部を操作すると、現在位置を基準にした目的地の方向が、このＰＤＡ１の向きにより補正され、表示部１０で表示した地図上における目的地の方向が検出され、この目的地の方向が、表示画面の中央を基準にしたタッチパネル１４の操作箇所の方向とほぼ一致する場合、アクチュエータ１３の駆動によりタッチパネル１４が振動するのに対し、これらの向きが一致しない場合、何らアクチュエータ１３が駆動されることなる保持される。
【００３９】
これによりいちいち表示部１０に表示された地図をスクロールさせて目的地の表記を確認しなくても、さらには目的地の方向を示すマーク等を表示しなくても、表示画面の縁取りに沿って指をスライドさせて何れの箇所で振動を感じ取れるか判断することにより、簡易かつ確実に目的地の方向を把握できるようになされ、これにより煩雑な表示を有効に回避して、目的地の方向を簡易かつ確実にユーザーに伝達することができるようになされている。
【００４０】
（１−３）実施の形態の効果
以上の構成によれば、表示画面の前面に保持されたタッチパネルを操作箇所に応じて振動させ、このタッチパネルの振動により目的の方向をユーザーに伝達することにより、煩雑な表示を有効に回避して、進行方向の方位、目的地の方向等を簡易かつ確実にユーザーに伝達することができる。
【００４１】
すなわち方位検出手段により方位を検出し、目的の方向を、この方位検出手段で検出される方位による基準の方向であるように設定することにより、現在位置における方位を簡易かつ確実にユーザーに伝達し得、また進行方向の方位を簡易かつ確実にユーザーに伝達することができる。
【００４２】
またこの目的の方向を、ナビゲーションに供する目的地の方向に設定して、目的地の方向を簡易かつ確実にユーザーに伝達することができる。
【００４３】
（２）第２の実施の形態
この実施の形態においては、第１の実施の形態について上述した目的地に係る振動の処理と同様にして、振動により北方向をユーザーに伝達する。なおこの方位の伝達に係る処理が異なる点を除いて、この実施の形態においては、第１の実施の形態と同一に構成されることにより、図２に示す構成を流用して説明する。
【００４４】
すなわちこの実施の形態において、中央処理ユニット４は、表示画面の周辺部の操作により、表示画面の中央を基準にしてこの操作箇所の方向を検出し、この方向が地磁気センサ９で検出される北方向とほぼ一致するか否か判断する。ここで北方向とほぼ一致する場合、アクチュエータ１３の駆動によりタッチパネル１４を振動させ、これにより振動により北方向をユーザーに通知する。
【００４５】
この実施の形態においては、方位を確認する場合と、目的地の方向を確認する場合とでユーザーの操作をほぼ同一に設定し得、その分、ユーザーの使い勝手を向上して第１の実施の形態と同様の効果を得ることができる。
【００４６】
（３）第３の実施の形態
この実施の形態においては、第２の実施の形態に係る方位、目的地の方向の判定において、タッチパネル１４が操作された周辺箇所を表示画面の中央を基準にした角度により検出し、この角度と北方向又は目的地の方向との差異により、振動の程度を可変する。なおこの振動に係る処理が異なる点を除いて、この実施の形態においては、第２の実施の形態と同一に構成されることにより、図２に示す構成を流用して説明する。
【００４７】
すなわち中央処理ユニット４は、この角度が大きい場合、すなわちユーザーが指によりタッチした箇所が、北方向又は目的地の方向より大きく逸れている場合、何らアクチュエータを駆動しないのに対し、この角度が小さくなって、ユーザーが指によりタッチした箇所が、北方向又は目的地の方向に近づくと、徐々に振動の程度を増大させる。ここでこの振動の程度の増大は、振幅の増大により、又は振動の周波数の増大により、又は振動パターンの変化により実行される。なお振動パターンの変化にあっては、短時間の振動による繰り返し周期を可変する場合等である。
【００４８】
これによりこの実施の形態では、表示画面の縁取りに沿って指を沿わせて振動が最も激しくなる箇所を探ることにより、方位、目的地の方向を把握できるようになされている。
【００４９】
この実施の形態によれば、タッチパネルで検出される操作箇所に応じて、振動の強弱、振動の周波数、振動パターンを可変することにより、さらに一段とユーザーによる使い勝手を向上することができる。
【００５０】
（４）第４の実施の形態
この実施の形態においては、ルート検索に係る目的地以外の、ユーザーが表示を指示した例えば有名なレストラン、行楽地等の方向を振動によりユーザーに伝達する。すなわち地図を表示して確認して移動している場合でも、地図の表示を拡大した場合、さらには移動により、一時的に地図の表示より目的地の表示がはみ出してしまう場合がある。この場合、中央処理ユニット４は、上述の第１〜第３の実施の形態と同様に、タッチパネルによるユーザーの操作箇所を判定して振動によりこれら目的とする方向をユーザーに通知する。
【００５１】
この実施の形態によれば、地図により表示した範囲外の、ユーザーにより指定された地点の方向を振動によりユーザーに伝達することにより、一段と使い勝手を向上することができる。
【００５２】
（５）他の実施の形態
なお上述の実施の形態においては、単に振動により各種の情報を伝達する場合について述べたが、本発明はこれに限らず、例えば振動の周波数を高くする場合には、これと連動してビープ音等の周波数を高くする場合等、振動と音声との連動により種々の情報を伝達するようにしてもよい。
【００５３】
また上述の実施の形態においては、圧電素子によるアクチュエータによるタッチパネルを振動させる場合ついて述べたが、本発明はこれに限らず、タッチパネルと表示画面との間を密閉空間とし、この密閉空間に対する空気振動の伝達によりタッチパネルを振動させる場合等、タッチパネルを振動させる構成にあっては、種々の構成を広く適用することができる。
【００５４】
また上述の実施の形態においては、本発明をＰＤＡに適用する場合について述べたが、本発明はこれに限らず、カーナビゲーション装置等に広く適用することができる。
【００５５】
【発明の効果】
上述のように本発明によれば、表示画面の前面に保持されたタッチパネルを操作箇所に応じて振動させ、このタッチパネルの振動により目的の方向をユーザーに伝達することにより、煩雑な表示を有効に回避して、進行方向の方位、目的地の方向等を簡易かつ確実にユーザーに伝達することができる。
【図面の簡単な説明】
【図１】本発明の第１の実施の形態に係るＰＤＡにおける処理手順を示すフローチャートである。
【図２】本発明の第１の実施の形態に係るＰＤＡを示すブロック図である。
【図３】図２のＰＤＡにおける表示部の構成を示す断面図である。
【図４】図２のＰＤＡにおける地図の表示を示す平面図である。
【図５】図２のＰＤＡにおける目的地に係る振動の処理を示すフローチャートである。
【符号の説明】
１……ＰＤＡ、４……中央処理ユニット、８……ＧＰＳレシーバー、９……地磁気センサ、１０……表示部、１２……液晶表示パネル、１３……アクチュエータ、１４……タッチパネル
【図１】
2005010119.tif 000003
【図２】
2005010119.tif 000004
【図３】
2005010119.tif 000005
【図４】
2005010119.tif 000006
【図５】
2005010119.tif 000007